(57)【要約】【課題】本体側の充電用端子と充電台側の電気供給端子が当接している状態で、本体が転倒しにくくすることによって、使用性および安全性を向上させた充電式掃除機を提供することを目的とする。【解決手段】塵埃を吸い込む吸込部１と、吸引風を発する電動送風機２を有する掃除機本体３と、前記電動送風機２を駆動する２次電池５と、前記２次電池２を充電する充電台９とを備え、前記充電台９が有する被係合部８に係合する係合部１４を前記掃除機本体３に設けるとともに、前記係合部１４が前記被係合部８に係合したときに充電可能な充電式掃除機で、掃除機本体３が充電台９と離れて転倒することがなくなる。【選択図】　図１
2004121469.tif 000002
【特許請求の範囲】
【請求項１】
塵埃を吸い込む吸込部と、吸引風を発する電動送風機を有する掃除機本体と、前記電動送風機を駆動する２次電池と、前記２次電池に電気的に接続した充電用端子と、前記２次電池を充電する電気供給用端子を有する充電台とを備え、前記充電台が有する被係合部に係合する係合部を前記掃除機本体に設けるとともに、前記係合部が前記被係合部に係合したときに、前記充電用端子と前記電気供給用端子が電気的に接続する充電式掃除機。
【請求項２】
係合部を被係合部に上方から挿入することにより、充電用端子と電気供給用端子が電気的に接続する請求項１記載の充電式掃除機。
【請求項３】
係合部に充電用端子を、被係合部に電気供給用端子を備えた請求項１または２記載の充電式掃除機。
【請求項４】
充電台に吸込部を配置させる延設部を設けるとともに、前記延設部は、前記吸込部の外周部に当接する保持部を有する請求項１〜３のいずれかに１項に記載の充電式掃除機。
【請求項５】
吸込部を水平方向に掃除機本体に対して略直角回動させた場合においても、前記吸込部は保持部にて保持される請求項４記載の充電式掃除機。
【請求項６】
延設部は、外周部から内方に向かって降り傾斜形状にて形成されてなる請求項４または５記載の充電式掃除機。
【発明の詳細な説明】
【０００１】
【発明の属する技術分野】
本発明は、充電台にて充電する充電式掃除機に関するものである。
【０００２】
【従来の技術】
従来この種の充電式電気掃除機の構成を以下に示す。
【０００３】
充電台の下方部にて、吸込部を保持し、その状態から掃除機本体を後方へ傾斜させ、充電台の下方部より立設した立設部にて保持し、前記立設部に設けた受電端子と、前記掃除機本体に設けた給電端子を電気的接続させることにより、前記掃除機が有する２次電池を充電する（例えば、特許文献１参照。）。
【０００４】
【特許文献１】
特開２００２−８５２９３号公報
【０００５】
【発明が解決しようとする課題】
しかしながら前記従来の構成では、掃除機本体に衝撃が加わった場合、掃除機本体が充電台から離れ、掃除機本体が転倒するという問題があった。
【０００６】
本発明は、上記従来の課題を解決するもので、本体側の充電用端子と充電台側の電気供給端子が当接している状態で、本体が転倒しにくくすることによって、使用性および安全性を向上させた充電式掃除機を提供することを目的とする。
【０００７】
【課題を解決するための手段】
前記従来の課題を解決するために本発明は、塵埃を吸い込む吸込部と、吸引風を発する電動送風機を有する掃除機本体と、前記電動送風機を駆動する２次電池と、前記２次電池に電気的に接続した充電用端子と、前記２次電池を充電する電気供給用端子を有する充電台とを備え、前記充電台が有する被係合部に係合する係合部を前記掃除機本体に設けるとともに、前記係合部が前記被係合部に係合したときに、前記充電用端子と前記電気供給用端子が電気的に接続するもので、前記係合部が前記被係合部に係合しているため、掃除機本体に衝撃が加わった場合でも、掃除機本体が充電台から離れ転倒することはなく、使用性および安全性を向上することができる。
【０００８】
【発明の実施の形態】
請求項１に記載の発明は、塵埃を吸い込む吸込部と、吸引風を発する電動送風機を有する掃除機本体と、前記電動送風機を駆動する２次電池と、前記２次電池に電気的に接続した充電用端子と、前記２次電池を充電する電気供給用端子を有する充電台とを備え、前記充電台が有する被係合部に係合する係合部を前記掃除機本体に設けるとともに、前記係合部が前記被係合部に係合したときに、前記充電用端子と前記電気供給用端子が電気的に接続するもので、前記係合部が前記被係合部に係合しているため、掃除機本体に衝撃が加わった場合でも、掃除機本体が充電台から離れ転倒することはなく、使用性および安全性を向上することができる。
【０００９】
請求項２に記載の発明は、係合部を被係合部に上方から挿入することにより、充電用端子と電気供給用端子が電気的に接続するもので、充電を行なう時には、掃除機本体の有する係合部と充電台の有する被係合部を結合し、掃除機本体が転倒しにくくなることにより、安全性を向上させることができる。また、係合部を被係合部に上方から挿入することで、使用性をも向上できる。
【００１０】
請求項３に記載の発明は、係合部に充電用端子を、被係合部に電気供給用端子を備えたもので、係合部が被係合部に係合すると同時に、充電用端子と電気供給用端子が電気的に接続されるため、使用性を向上できる。
【００１１】
請求項４に記載の発明は、充電台に吸込部を配置させる延設部を設けるとともに、前記延設部は、前記吸込部の外周部に当接する保持部を有するもので、係合部を被係合部に係合させるときに、保持部によって吸込部が保持されるので、係合部と被係合部との係合を容易に行なうことができる。
【００１２】
請求項５に記載の発明は、吸込部を水平方向に掃除機本体に対して略直角回動させた場合においても、前記吸込部は保持部にて保持されるもので、清掃後、吸込部を水平方向に掃除機本体に対して略直角回動させた場合においても、そのままの状態で、掃除機を充電台に載置でき、使用性を向上する。
【００１３】
請求項６に記載の発明は、延設部は、外周部から内方に向かって降り傾斜形状にて形成されてなるもので、吸込部を延設部に載置させたときの安定性が向上する。
【００１４】
【実施例】
以下、本発明の一実施例について図面を用いて説明する。
【００１５】
図１から図３は実施例１の充電式掃除機を示す全体図、部分図である。この充電式掃除機は、吸引風を発する電動送風機２と、吸引された塵埃を捕集する集塵部４と、電動送風機２を駆動する２次電池５と、２次電池５に電気的に接続した充電用端子６と、長尺形状の把手部１０から構成される掃除機本体３と、塵埃を吸い込む吸込部１と、２次電池５を充電する電気供給用端子７を有する被係合部８を設けた充電台９とから構成されている。また、掃除機本体３は略直線状となっている。また、充電台９は、リング状の延設部１１と、この延設部１１上に配置された保持部ａ１２と保持部ｂ１３を有している。
【００１６】
充電台９が有する被係合部８に係合する係合部１４を掃除機本体３に設け、さらにこの係合部１４に充電用端子６を設けるとともに、充電台９が有する被係合部８に２次電池５を充電する電気供給用端子７を設けたことで、前記係合部１４が前記被係合部８に係合したと同時に、前記充電用端子６と前記電気供給用端子７も電気的に接続するようになっている。
【００１７】
以上のように構成された充電式掃除機において、掃除機本体３が有する充電用端子６と充電台９が有する電気供給用端子７を電気的に接続することで充電を行なうこととなる。
【００１８】
以下この動作の説明を行なう。
【００１９】
係合部１４を被係合部８の上方に当接し、吸込部１の前面外周部は保持部ａ１２に当接する。これにより、被係合部８が係合部１４を誘い、係合部１４の両端に設けられた凸部１４ａが被係合部８の凹部８ａに上方より挿入され、吸込部１の後方のローラー部（図示せず）が保持部ｂ１３に当接し安定する。この時、充電用端子６と電気供給用端子７が当接し、電気的に接続し充電が行なわれる。このように、掃除機本体３が有する係合部１４と充電台９の有する被係合部８を結合させていることで、掃除機本体３が転倒しにくくなり、使用性および安全性を向上させることができる。
【００２０】
また、延設部１１は、リング状の中心に向かって高さが低くなる傾斜の構造を有しており、上記の様に延設部１１の上に吸込部１が当接しても、吸込部１の掃除面に設けているゴムリップ（図示せず）には負荷がかからず、形状が変化しない。また、延設部１１上に吸込部１を載置させたときの安定性を向上させている。
【００２１】
また、上記構成においては、掃除機本体３が係合部１４を有する形態となっているが、前記係合部１４が前記把手部１０に設けられていても、同様の効果を有するものである。
【００２２】
図４は、吸込部１を長手方向の中心軸に対して略９０°回転させた状態である。係合部１４を被係合部８の上方に当接し、長手方向の中心軸に対して略９０°回転させた吸込部１は、保持部ａ１２にて挟みこまれ、前記吸込部１の外周部に前記保持部ａ１２は当接する。これにより、被係合部８が係合部１４を誘い、係合部１４が被係合部８の上方より挿入され、吸込部１の後方のローラー部（図示せず）が保持部ｂ１３に当接し安定する。この時、充電用端子６と電気供給用端子７が当接し、電気的に接続し充電が行なわれる。
【００２３】
【発明の効果】
以上のように本発明によれば、本体側の充電用端子と充電台側の電気供給端子が当接している状態で、本体が転倒しにくくすることによって、使用性および安全性を向上させた充電式掃除機を提供できる。
【図面の簡単な説明】
【図１】本発明の一実施例における充電式掃除機全体の斜視図
【図２】同係合部の斜視図
【図３】同被係合部の斜視図
【図４】同充電式掃除機全体の他の形態における斜視図
【符号の説明】
１　吸込部
６　充電用端子
７　電気供給用端子
８　被係合部
９　充電台
１０　把手部
１１　延設部
１２　保持部ａ
１３　保持部ｂ
１４　係合部
【図１】
2004121469.tif 000003
【図２】
2004121469.tif 000004
【図３】
2004121469.tif 000005
【図４】
2004121469.tif 000006